(57)【要約】【課題】カバー部を開いても原稿が移動することはなく、また、原稿のセットや位置修正を容易に行うことができる、画像読取装置、を提供すること。【解決手段】原稿台ガラス２を原稿１と共に覆うようにカバー部４を閉じて、原稿台ガラス２上に置かれている原稿１の画像を読み取る、画像読取装置１０において、原稿台ガラス２上に置かれた原稿１の一部を上から直接に押圧してその位置に保持する原稿保持機構６を備えており、原稿保持機構６が、原稿１を押圧する押圧部６１０と、押圧部６１０を原稿台ガラス表面に向けて回動付勢した状態で軸支する軸支部６２と、を備えていることを特徴としている。【選択図】  図１
2005017827.tif 000002
【特許請求の範囲】
【請求項１】
原稿台ガラスを原稿と共に覆うようにカバー部を閉じて、原稿台ガラス上に置かれている原稿の画像を読み取る、画像読取装置において、
原稿台ガラス上に置かれた原稿の一部を上から直接に押圧してその位置に保持する原稿保持機構を備えており、
原稿保持機構が、原稿を押圧する押圧部と、押圧部を原稿台ガラス表面に向けて回動付勢した状態で軸支する軸支部と、を備えていることを特徴とする画像読取装置。
【発明の詳細な説明】
【０００１】
【発明の属する技術分野】
本発明は、複写機、ファクシミリ、印刷機などの画像処理装置において、原稿の画像を読み取る画像読取装置に関するものである。
【０００２】
【従来の技術】
従来の画像読取装置においては、操作者は、原稿を次のようにセットしていた。即ち、原稿を、原稿台ガラスに沿った目盛板の目盛に合わせながら原稿台ガラス上に置き、カバー部を閉じる。これによれば、カバー部が原稿を原稿台ガラス表面に押さえつけるので、原稿は、目盛合わせした位置に維持されるはずである。
【０００３】
ところで、操作者においては、閉じているカバー部を開いて、目盛合わせした原稿の位置を、再確認したり修正したりしたい場合がある。しかしながら、カバー部を開くと、気流や風圧が発生し、それによって、原稿が移動するという現象が生じていた。そのため、原稿位置の再確認や修正を行おうとすると、その都度、原稿の目盛合わせを改めて行わなければならないという面倒が生じていた。下記特許文献１では、そのような面倒が生じていた。
【０００４】
【特許文献１】
実開平７−３９０５５号公報
【特許文献２】
実開平２−１２３１６７号公報
【０００５】
【発明が解決しようとする課題】
上記のような面倒を解消するために、特許文献２のような技術が提案されている。この技術は、原稿を、カバー部で覆う前に透明フィルムで覆うようにしたものである。
【０００６】
しかしながら、上記技術では、原稿をセットしたり、セットした原稿位置を修正したりする際に、透明フィルムを開閉しなければならないため、作業が煩雑であるという問題があった。
【０００７】
本発明は、カバー部を開いても原稿が移動することはなく、また、原稿のセットや位置修正を容易に行うことができる、画像読取装置、を提供することを目的とする。
【０００８】
【課題を解決するための手段】
請求項１記載の発明は、原稿台ガラスを原稿と共に覆うようにカバー部を閉じて、原稿台ガラス上に置かれている原稿の画像を読み取る、画像読取装置において、原稿台ガラス上に置かれた原稿の一部を上から直接に押圧してその位置に保持する原稿保持機構を備えており、原稿保持機構が、原稿を押圧する押圧部と、押圧部を原稿台ガラス表面に向けて回動付勢した状態で軸支する軸支部と、を備えていることを特徴としている。
【０００９】
なお、更に、次のような構成を採用してもよい。
（１）押圧部が板体からなっている。これによれば、板体を主たる構成要素としているので、構成が簡単であり、生産コストを安くできる。
更に、板体が透明である。これによれば、板体の上方から目盛板を認識することができる。それ故、操作者は、原稿の位置を確認しながら原稿を押圧することができ、また、原稿を押圧した後でも原稿の位置を確認できる。従って、原稿の位置をより正確に設定できる。
【００１０】
（２）押圧部が棒体からなっている。これによれば、棒体を主たる構成要素としているので、全体の構成を簡素化できる。
しかも、棒体の一部からなる押圧部を、目盛板を越えて原稿台ガラス上に位置するよう設けるので、操作者は、常に上方から目盛板を認識できる。それ故に、原稿の位置を確認しながら原稿を押圧することができ、また、原稿を押圧した後でも原稿の位置を確認できる。従って、原稿の位置をより正確に設定できる。
【００１１】
（３）押圧部が、原稿台ガラスに対する緩衝部材を有している。これによれば、押圧部が原稿台ガラスを傷付けるのを防止できる。
【００１２】
（４）押圧部全体が、原稿台ガラスに対する緩衝部材でできている。これによれば、押圧部が原稿台ガラスを傷付けるのを、より確実に防止できる。
【００１３】
【発明の実施の形態】
（実施例１）
図１は本発明の画像読取装置の外観を示す斜視図である。この画像読取装置１０は、上面に原稿台ガラス２を備え且つ内部に画像読取機構を備えた本体部３と、本体部３に対して開閉可能にヒンジ支持されたカバー部４と、を備えている。この画像読取装置１０では、原稿台ガラス２上に原稿１が置かれ、更に、原稿台ガラス２を覆うようにカバー部４が閉じられ、その状態で、原稿１に、本体部３内部の下方から原稿ランプが照射されて、原稿１の画像が読み取られる。原稿台ガラス２はプラテンガラスである。原稿台ガラス２の少なくとも一辺には、原稿１の位置合わせのための目盛板５が設けられている。
【００１４】
そして、本発明の画像読取装置１０は、原稿保持機構６を備えている。原稿保持機構６は、板体６１を、本体部３の一辺３１にて、軸支部６２により、原稿台ガラス２表面に向けて（矢印Ａ方向に）回動付勢した状態で軸支して、構成されている。図２は回動して閉状態となった原稿保持機構６を示している。
【００１５】
図３は板体６１の平面図である。板体６１は、薄くて、透明であり、また、軽い素材、例えばプラスチックでできている。板体６１の長さＬは、図２の閉状態において板体６１が原稿台ガラス２上に位置する部分を有する長さに設定してある。該部分が、後述するように、押圧部として機能する部分である。そして、該押圧部６１０の裏側には、原稿台ガラス２に対する緩衝部材８１が設けられている。緩衝部材８１は、原稿台ガラス２よりも柔らかい素材、例えば、ゴムのような弾性材料でできており、例えば、薄板状である。
【００１６】
軸支部６２の構成は、図４及び図５に示すようになっている。図４は図２のＩＶ矢視拡大図、図５は図４のＶ−Ｖ断面図である。軸支部６２は、板体６１の一辺に設けられた１本の軸体７１と、２個のスプリング７２と、２個の軸受部７３と、で構成されている。軸受部７３は、貫通孔７３１を有しており、取付片７３２によって本体部３に固定されている。軸支部６２は、軸体７１の両端部７１１をそれぞれ軸受部７３の貫通孔７３１に回動可能に貫通支持したことにより、板体６１を回動可能に支持しており、また、各端部７１１の外側に嵌めたスプリング７２を、その一端７２１が板体６１の表側に当接するとともに他端７２２が軸受部７３に裏側から当接するように設定したことにより、板体６１を矢印Ａ方向に付勢している。
【００１７】
上記構成の原稿保持機構６は、次のように使用する。
まず、図１に示すように、カバー部４及び原稿保持機構６を共に開状態とし、その状態において、原稿１を、目盛板５を参照しながら、原稿台ガラス２上の所望の位置に置く。なお、原稿保持機構６の開状態は、操作者が板体６１を反矢印Ａ方向に持ち上げたままとすることにより、維持するが、板体６１は、図１のように高く持ち上げる必要は無く、板体６１と原稿台ガラス２表面との間に原稿１が入る程度に僅かに持ち上げるだけでよい。
【００１８】
次に、板体６１を、スプリング７２の付勢力に従わせて矢印Ａ方向に回動させ、原稿台ガラス２表面に当接させる。これにより、板体６１の押圧部６１０が原稿１に当接する。板体６１は、スプリング７２によって矢印Ａ方向に付勢されているので、押圧部６１０は原稿１を原稿台ガラス２表面に押圧する。そして、この状態で、カバー部４を閉じる。なお、板体６１は、薄いので、カバー部４を閉じるのに殆ど邪魔にはならない。こうして、原稿１が画像読取装置１０にセットされる。
【００１９】
上記構成の原稿保持機構６を備えた画像読取装置１０においては、原稿１のセット作業に、原稿保持機構６の使用作業が含まれているが、その使用作業は、板体６１を、持ち上げた後、スプリング７２の付勢力に従わせて降ろすだけのものであるので、容易である。従って、原稿１のセットを容易に行うことができる。
【００２０】
しかも、上述のようにしてカバー部４を閉じた後に、カバー部４を開いても、原稿１が移動することはない。即ち、カバー部４を開くことによって気流や風圧が生じても、原稿１は原稿保持機構６の押圧部６１０によって原稿台ガラス２表面に押圧されたままであるので、原稿１は移動しない。従って、操作者は、原稿１の位置を再確認するためにカバー部４を開いた場合に、原稿１の位置が正しければ、カバー部４を閉じるだけでよく、原稿１を設定しなおす必要は無い。
【００２１】
また、操作者は、原稿１の位置を修正するためにカバー部４を開いた場合には、上述したセット作業を改めて行えばよいので、原稿１の位置修正を容易に行うことができる。しかも、その位置修正は、原稿１が押圧保持されている元の設定位置から行えばよいので、より容易に行うことができる。
【００２２】
また、板体６１が透明であるので、板体６１の上方から目盛板５を認識することができる。それ故、操作者は、原稿１の位置を確認しながら原稿１を押圧することができ、また、原稿１を押圧した後でも原稿１の位置を確認できる。従って、原稿１の位置をより正確に設定できる。
【００２３】
また、板体６１を主たる構成要素としているので、構成が簡単であり、生産コストを安くできる。
【００２４】
更に、押圧部６１０の裏側に緩衝部材８１が設けられているので、原稿台ガラス２が押圧部６１０によって傷付けられるのが防止される。
【００２５】
なお、上記構成の原稿保持機構６では、軸支部６２を本体部３の一辺３１に設けているが、軸支部６２を設ける位置は、他の辺であってもよい。例えば、本体部３の他の２辺３２，３３の各々や、原稿台ガラス２の４辺２１，２２，２３，２４の各々でもよい。
【００２６】
（実施例２）
図６は別の例の原稿保持機構６を備えた画像読取装置１０の外観を示す斜視図である。本実施例の原稿保持機構６では、実施例１の板体６１に代えて図７に示す棒体６３を備えており、棒体６３の直線部６３１が押圧部を構成している。また、棒体６３の両端部６３２が、実施例１の両端部７１１を構成しており、実施例１と同様の軸支部６２を構成している。押圧部６３１には緩衝部材８１が設けられている。緩衝部材８１は、例えば、押圧部６３１に外嵌した筒体として設けられている。
【００２７】
本実施例の原稿保持機構６を備えた画像読取装置１０においても、実施例１と同様に原稿１が押圧部６３１によって押圧保持され、実施例１と同様の作用効果が発揮される。
【００２８】
しかも、押圧部６３１が、目盛板５を越えて原稿台ガラス２上に位置するよう設けられているので、操作者は、常に上方から目盛板５を認識できる。それ故に、原稿１の位置を確認しながら原稿１を押圧することができ、また、原稿１を押圧した後でも原稿１の位置を確認できる。従って、原稿１の位置をより正確に設定できる。
【００２９】
更に、棒体６３を主たる構成要素としているので、全体の構成を簡素化できる。
【００３０】
なお、本実施例の原稿保持機構６においても、軸支部６２を、本体部３の一辺３１に限らず、例えば、本体部３の他の２辺３２，３３の各々や、原稿台ガラス２の４辺２１，２２，２３，２４の各々に、設けてもよい。
【００３１】
（実施例３）
図８は更に別の例の原稿保持機構６を備えた画像読取装置１０の外観を示す斜視図である。本実施例では、本体部３が上面にスペース３０を有している。そして、本実施例の原稿保持機構６では、実施例１の板体６１に代えて図９に示す棒体６４を備えており、棒体６４の直線部６４１が押圧部を構成している。また、棒体６４の両端部６４２が、実施例１の両端部７１１を構成しており、実施例１と同様の軸支部６２を構成している。なお、軸支部６２と押圧部６４１とを連結する２本のアーム部６４３は、幅狭に設けられている。押圧部６４１には緩衝部材８１が設けられている。そして、軸支部６２が、スペース３０に設けられている。
【００３２】
本実施例の原稿保持機構６を備えた画像読取装置１０においても、実施例１と同様に原稿１が押圧部６４１によって押圧保持され、実施例１と同様の作用効果が発揮される。また、棒体６４を用いているので、棒体６３を用いた実施例２と同様の作用効果が発揮される。
【００３３】
そして、本実施例では、本体部３の上面のスペース３０を利用して軸支部６２を設けているので、本体部３の上面を有効利用できる。しかも、幅狭な２本のアーム部６４３によって、軸支部６２と押圧部６４１とを連結しているので、原稿保持機構６が本体部３の上面の操作パネル９等の邪魔になることも無い。
【００３４】
なお、上述した棒体６４に代えて図１０に示す棒体６５を用いてもよい。棒体６５の直線部６５１が押圧部を構成している。また、棒体６５の端部軸６５２の両端部６５３が、実施例１の両端部７１１を構成しており、実施例１と同様の軸支部６２を構成している。この棒体６５を用いた場合には、軸支部６２は本体部３の辺３４（図８）に設ける。これによれば、スペース３０が殆ど空くこととなり、スペース３０を他の用途に有効利用できる。
【００３５】
（別の実施例）
（１）上述した実施例では、押圧部に緩衝部材８１等を設けているが、押圧部全体を緩衝部材で構成してもよい。例えば、板体６１全体をゴム板で構成したり、棒体６３等の押圧部６３１等の全体をゴム棒で構成したりしてもよい。これによれば、原稿台ガラス２表面が押圧部によって傷付けられるのをより確実に防止できる。
【００３６】
（２）板体６１や棒体６３等の形状は、押圧部を備えてさえいれば、上述したものに限るものではない。
【００３７】
（３）軸支部６２の構成は、押圧部を原稿台ガラス２表面に向けて回動付勢した状態で軸支できるものであれば、上述の構成に限るものではない。例えば、実施例１における端部７１１を、軸回りの捩り弾性力を有するものとするとともに、軸受部に固定するようにしてもよい。
【００３８】
（４）板体６１は、透明でなくてもよい。
【００３９】
【発明の効果】
請求項１記載の発明によれば、カバー部を開く際に、原稿が押圧部によって押圧保持されたままであるので、カバー部を開くことによって生じる気流や風圧によって原稿が移動するのを、防止できる。
【００４０】
しかも、原稿をセットする際には、押圧部を僅かに持ち上げ、原稿を原稿台ガラス上に置いた後に、押圧部を軸支部の付勢力に従わせて降ろすだけでよいので、原稿のセット作業を容易に行うことができる。
【図面の簡単な説明】
【図１】実施例１の画像読取装置の外観を示す斜視図である。
【図２】実施例１の原稿保持機構の閉状態を示す斜視図である。
【図３】板体の平面図である。
【図４】図２のＩＶ矢視図である。
【図５】図４のＶ−Ｖ断面図である。
【図６】実施例２の画像読取装置の外観を示す斜視図である。
【図７】実施例２の原稿保持機構を構成する棒体の平面図である。
【図８】実施例３の画像読取装置の外観を示す斜視図である。
【図９】実施例３の原稿保持機構を構成する棒体の平面図である。
【図１０】実施例３の棒体の別の例を示す平面図である。
【符号の説明】
１  原稿  ２  原稿台ガラス  ４  カバー部  ６  原稿保持機構  ６１  板体６２  軸支部  ６３，６４，６５  棒体  ６１０，６３１，６４１，６５１  押圧部  ８１  緩衝部材
【図１】
2005017827.tif 000003
【図２】
2005017827.tif 000004
【図３】
2005017827.tif 000005
【図４】
2005017827.tif 000006
【図５】
2005017827.tif 000007
【図６】
2005017827.tif 000008
【図７】
2005017827.tif 000009
【図８】
2005017827.tif 000010
【図９】
2005017827.tif 000011
【図１０】
2005017827.tif 000012